【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
ローカルパネルからアクセスするアドレス帳をＷｅｂサーバ機能により、ネットワークに接続されたのＷｅｂクライアント手段から操作可能としたことを特徴とする通信装置。
【請求項２】
それぞれが独立で動作可能な複数のＷｅｂサーバ手段を有し、複数のＷｅｂクライアント手段からの問い合わせに対して、前記Ｗｅｂサーバ手段と前記Ｗｅｂクライアント手段とが１対１で対応してアドレスデータの読み出しを行うことを特徴とする通信装置。
【請求項３】
ネットワークに接続するためのネットワーク接続手段と、前記ネットワーク接続手段を介して前記ネットワークに接続された外部のＷｅｂクライアント手段からアクセス可能なＷｅｂサーバ手段と、前記ネットワークに接続された画像出力先のデータが蓄積されているアドレスブックデータベース手段と、前記アドレスブックデータベース手段を操作する画面または操作入力を制御するユーザインターフェース手段と、プリント手段またはスキャナ手段を少なくとも一つ以上有し、前記ユーザインターフェース手段により指定された前記アドレスブックデータベース手段内の画像出力先に画像を出力することが可能なコントローラ手段とを有する通信装置において、
前記ネットワーク接続手段を介して前記Ｗｅｂクライアント手段から前記Ｗｅｂサーバ手段にアクセスし、前記アドレスブックデータベース手段のデータを読み出して前記Ｗｅｂクライアント手段上に表示することを特徴とする通信装置。
【請求項４】
前記Ｗｅｂサーバ手段を複数有し、前記Ｗｅｂクライアント手段から前記複数のアドレスブックデータベース手段に同時にアクセスすることを特徴とする請求項３に記載の通信装置。
【請求項５】
前記複数のアドレスブックデータベース手段の中の一つを前記Ｗｅｂクライアント手段が選択してアクセスすることを特徴とする請求項３または４に記載の通信装置。
【請求項６】
それぞれが独立で動作可能な複数のＷｅｂサーバ手段を有し、前記複数のＷｅｂクライアント手段からの問い合わせに対して、前記Ｗｅｂサーバ手段と前記Ｗｅｂクライアント手段とが１対１で対応してアドレスデータの読み出しを行うとともに、前記複数のＷｅｂクライアント手段から行われるアドレスデータの変更操作に対して排他制御を行うことを特徴とする通信装置。
【請求項７】
ネットワークに接続するためのネットワーク接続手段と、前記ネットワーク接続手段を介して外部のＷｅｂクライアント手段からアクセスすることが可能なＷｅｂサーバ手段と、前記ネットワークに接続された画像出力先のデータが蓄積されているアドレスブックデータベース手段と、前記アドレスブックデータベース手段に対するアクセスを制御するアドレスブックアクセス制御手段と、前記アドレスブックデータベース手段を操作する画面または操作入力を制御するユーザインターフェース手段と、プリント手段またはスキャナ手段を少なくとも一つ以上有し、前記ユーザインターフェース手段により指定された前記アドレスブックデータベース手段内の画像出力先に画像を出力可能なコントローラ手段とを有する通信装置において、
前記ネットワークに接続されたＷｅｂクライアント手段から前記ネットワーク接続手段を介して前記Ｗｅｂサーバ手段にアクセスし、前記Ｗｅｂクライアント手段が前記アドレスブックデータベース手段のデータを読み書きしている期間は、前記ユーザインターフェース手段からの書きこみを禁止するとともに、前記ユーザインターフェース手段が前記アドレスブックデータベース手段のデータを読み書きしている期間は、前記Ｗｅｂクライアント手段からの書きこみを禁止することを特徴とする通信装置。
【請求項８】
前記アドレスブックアクセス制御手段は、２以上のユーザからの同時のデータ変更操作を排他制御する排他制御手段を備え、前記ユーザインターフェース手段からの書きこみを優先的に許可することを特徴とする請求項７に記載の通信装置。
【請求項９】
前記アドレスブックアクセス制御手段は、前記ユーザインターフェース手段が前記アドレスブックデータベース手段に書きこみの可能性がある入力画面を表示している間は、前記Ｗｅｂサーバ手段からのアクセスを禁止することを特徴とする請求項８に記載の通信装置。
【請求項１０】
前記アドレスブックアクセス制御手段は、ローカルパネルからの操作と前記Webサーバ手段を介したリモートコンピュータからの操作とで、他のユーザに対する変更許可のタイミングを変えることを特徴とする請求項８または９に記載の通信装置。
【請求項１１】
前記アドレスブックアクセス制御手段は、ローカルパネルからの操作によりアドレス帳画面をオープンしている第１の状態では、他のユーザに対して変更禁止とすることを特徴とする請求項８または９に記載の通信装置。
【請求項１２】
前記アドレスブックアクセス制御手段は、前記Webサーバ手段を介したリモートコンピュータからの操作によりアドレス帳画面をオープンしている第２の状態では、他のユーザに対して所定の変更操作単位で排他制御を行うことを特徴とする請求項８または９に記載の通信装置。
【請求項１３】
前記第２の状態において、前記Webサーバ手段を介したリモートコンピュータからのデータ変更操作を含んだ通信コネクション単位での排他制御を行うことを特徴とする請求項１２に記載の通信装置。
【請求項１４】
通信相手のデータを格納するアドレス帳を有する通信装置であって、
操作部からの指示に従って前記アドレス帳の情報を操作する第一の操作手段と、
ネットワーク上の他の装置からの指示に従って前記アドレス帳の情報を操作する第二の操作手段と、
前記第一の操作手段と前記第二の操作手段からの前記アドレス帳の情報の変更要求に対する許可又は禁止を制御する制御手段と、
前記第一の操作手段による操作のために、操作画面上にガイド表示を表示させる表示制御手段とを有し、
前記制御手段は、前記表示制御手段においてガイド表示が表示されるのに連動して、前記第二の操作手段による前記アドレス帳の情報の変更要求を禁止することを特徴とする通信装置。
【請求項１５】
ＵＲＬの書式でＷｅｂサーバのアドレスブックをアクセスする場所を入力する処理と、
前記ＵＲＬのアドレスにアドレスブックデータの取得要求を発行する処理と、
前記Ｗｅｂサーバからデータが戻ってくるのを待機し、戻ってきたデータを画面に表示する処理とをＷｅｂクライアント手段が行い、
Ｗｅｂクライアントからのアドレスブックデータ要求があるかどうか否かを判断する処理と、
前記判断の結果、取得要求があったらアドレスブックデータベースをアクセスして、指定されたデータを取得する処理と、
前記所得したデータをＷｅｂクライアントに送信する処理とをＷｅｂサーバが行うことを特徴とする通信方法。
【請求項１６】
ＵＲＬの書式でＷｅｂサーバのアドレスブックをアクセスする場所を入力する処理と、
Ｗｅｂサーバのアドレスブックをアクセスする場所にアドレスブックデータの取得要求をする処理と、
Ｗｅｂサーバからデータが戻ってきたアドレスブックのデータをＷｅｂクライアント画面に表示する処理と、
アドレスブックデータの変更があるか否かをチェックする処理と、
前記チェックの結果、アドレスブックデータの変更がある場合に、アドレスブックのデータ変更要求をＷｅｂサーバのアドレスブックをアクセスする場所に送る処理と、
Ｗｅｂサーバから変更完了通知が戻ってきたか否かをチェックする処理とをＷｅｂクライアント手段が行い、
Ｗｅｂクライアントからアドレスブック取得要求があるか否かを調べる処理と、
Ｗｅｂクライアントからアドレスブック取得要求がある場合に、アドレスブックデータを読み出してＷｅｂクライアントに送信する処理と、
Ｗｅｂクライアントからアドレスブックの変更要求がきているか否かをチェックする処理と、
アドレスブックの変更要求がきている場合に、アドレスブックデータの変更要求をアドレスブックアクセス制御手段に対して行う処理と、
アドレスブックアクセス制御手段からアドレスブック変更許可がきたか否かをチェックする処理と、
前記チェックの結果、許可が出た場合に、アドレスブックデータの変更を行う処理と、
前記アドレスブックデータの変更完了をＷｅｂクライアントに送信する処理と、
アドレスブック変更完了をアドレスブックアクセス制御手段に通知する処理とをＷｅｂサーバ手段が行い、
Ｗｅｂサーバから変更要求があるか否かをチェックする処理と、
前記チェックの結果、変更要求がある場合に、Ｗｅｂサーバに変更許可を与える処理と、
Ｗｅｂサーバから変更完了通知がきた場合に、ユーザインターフェースからの変更要求があるか否かをチェックする処理と、
ユーザインターフェースからの変更要求がある場合に、ユーザインターフェースに変更許可を与える処理と、
前記変更許可を与えたユーザインターフェースからの終了通知を待ち、ユーザインターフェースから変更通知がきたら、前記Ｗｅｂサーバから変更要求があるか否かをチェックする処理に移行する処理とをアドレスブックアクセス制御手段が行うことを特徴とする通信方法。
【請求項１７】
前記請求項１〜１４の何れか１項に記載の各手段を構成するプログラムを格納したことを特徴とするコンピュータ読み取り可能な記憶媒体。
【手続補正２】
【補正対象書類名】明細書
【補正対象項目名】０００６
【補正方法】変更
【補正の内容】
【０００６】
【課題を解決するための手段】
本発明の通信装置は、ローカルパネルからアクセスするアドレス帳をＷｅｂサーバ機能により、ネットワークに接続されたのＷｅｂクライアント手段から操作可能としたことを特徴としている。
また、本発明の他の特徴とするところは、それぞれが独立で動作可能な複数のＷｅｂサーバ手段を有し、複数のＷｅｂクライアント手段からの問い合わせに対して、前記Ｗｅｂサーバ手段と前記Ｗｅｂクライアント手段とが１対１で対応してアドレスデータの読み出しを行うことを特徴としている。
また、本発明のその他の特徴とするところは、ネットワークに接続するためのネットワーク接続手段と、前記ネットワーク接続手段を介して前記ネットワークに接続された外部のＷｅｂクライアント手段からアクセス可能なＷｅｂサーバ手段と、前記ネットワークに接続された画像出力先のデータが蓄積されているアドレスブックデータベース手段と、前記アドレスブックデータベース手段を操作する画面または操作入力を制御するユーザインターフェース手段と、プリント手段またはスキャナ手段を少なくとも一つ以上有し、前記ユーザインターフェース手段により指定された前記アドレスブックデータベース手段内の画像出力先に画像を出力することが可能なコントローラ手段とを有する通信装置において、前記ネットワーク接続手段を介して前記Ｗｅｂクライアント手段から前記Ｗｅｂサーバ手段にアクセスし、前記アドレスブックデータベース手段のデータを読み出して前記Ｗｅｂクライアント手段上に表示することを特徴としている。
また、本発明のその他の特徴とするところは、前記Ｗｅｂサーバ手段を複数有し、前記Ｗｅｂクライアント手段から前記複数のアドレスブックデータベース手段に同時にアクセスすることを特徴としている。
また、本発明のその他の特徴とするところは、前記複数のアドレスブックデータベース手段の中の一つを前記Ｗｅｂクライアント手段が選択してアクセスすることを特徴としている。
また、本発明のその他の特徴とするところは、それぞれが独立で動作可能な複数のＷｅｂサーバ手段を有し、前記複数のＷｅｂクライアント手段からの問い合わせに対して、前記Ｗｅｂサーバ手段と前記Ｗｅｂクライアント手段とが１対１で対応してアドレスデータの読み出しを行うとともに、前記複数のＷｅｂクライアント手段から行われるアドレスデータの変更操作に対して排他制御を行うことを特徴としている。
また、本発明のその他の特徴とするところは、ネットワークに接続するためのネットワーク接続手段と、前記ネットワーク接続手段を介して外部のＷｅｂクライアント手段からアクセスすることが可能なＷｅｂサーバ手段と、前記ネットワークに接続された画像出力先のデータが蓄積されているアドレスブックデータベース手段と、前記アドレスブックデータベース手段に対するアクセスを制御するアドレスブックアクセス制御手段と、前記アドレスブックデータベース手段を操作する画面または操作入力を制御するユーザインターフェース手段と、プリント手段またはスキャナ手段を少なくとも一つ以上有し、前記ユーザインターフェース手段により指定された前記アドレスブックデータベース手段内の画像出力先に画像を出力可能なコントローラ手段とを有する通信装置において、前記ネットワークに接続されたＷｅｂクライアント手段から前記ネットワーク接続手段を介して前記Ｗｅｂサーバ手段にアクセスし、前記Ｗｅｂクライアント手段が前記アドレスブックデータベース手段のデータを読み書きしている期間は、前記ユーザインターフェース手段からの書きこみを禁止するとともに、前記ユーザインターフェース手段が前記アドレスブックデータベース手段のデータを読み書きしている期間は、前記Ｗｅｂクライアント手段からの書きこみを禁止することを特徴としている。
また、本発明のその他の特徴とするところは、前記アドレスブックアクセス制御手段は、前記ユーザインターフェース手段からの書きこみを優先的に許可することを特徴としている。
また、本発明のその他の特徴とするところは、前記アドレスブックアクセス制御手段は、前記ユーザインターフェース手段が前記アドレスブックデータベース手段に書きこみの可能性がある入力画面を表示している間は、前記Ｗｅｂサーバ手段からのアクセスを禁止することを特徴としている。
また、本発明のその他の特徴とするところは、前記アドレスブックアクセス制御手段は、ローカルパネルからの操作とリモートパネルからの操作とで、変更許可のタイミングを変えることを特徴としている。
また、本発明のその他の特徴とするところは、前記アドレスブックアクセス制御手段は、アドレス帳画面をオープンしている期間はローカルパネルに対して変更を許可し、他のユーザに対して変更禁止とすることを特徴としている。
また、本発明のその他の特徴とするところは、前記アドレスブックアクセス制御手段は、アドレス帳画面をオープンしている期間はリモートパネルに対して変更を許可し、他のユーザに対して変更禁止とすることを特徴としている。
また、本発明のその他の特徴とするところは、前記アドレスブックアクセス制御手段は、アドレス帳画面をオープンしている期間はリモートパネルに対して、データ変更操作を含んだ通信コネクション単位で変更を許可し、他のユーザに対して変更禁止とすることを特徴としている。
また、本発明のその他の特徴とするところは、通信相手のデータを格納するアドレス帳を有する通信装置であって、操作部からの指示に従って前記アドレス帳の情報を操作する第一の操作手段と、ネットワーク上の他の装置からの指示に従って前記アドレス帳の情報を操作する第二の操作手段と、前記第一の操作手段と前記第二の操作手段からの前記アドレス帳の情報の変更要求に対する許可又は禁止を制御する制御手段と、前記第一の操作手段による操作のために、操作画面上にガイド表示を表示させる表示制御手段とを有し、前記制御手段は、前記表示制御手段においてガイド表示が表示されるのに連動して、前記第二の操作手段による前記アドレス帳の情報の変更要求を禁止することを特徴としている。
【手続補正３】
【補正対象書類名】明細書
【補正対象項目名】０００８
【補正方法】変更
【補正の内容】
【０００８】
本発明の記憶媒体は、前記に記載の各手段を構成するプログラムを格納したことを特徴としている。